(57)【要約】【課題】作業効率を落とすことなく、コストを低減する。【解決手段】複数のプリンタからデータを印刷するプリンタを選択し、前記選択したプリンタへ前記データを出力する印刷制御装置であって、印刷する前記データを取得する取得部と、プリンタを識別するプリンタ識別情報とプリンタの出力機能を表す出力機能情報とが関連づけられて記憶されている記憶部と、前記データを印刷する出力先プリンタを決定する決定部と、前記決定部によって決定された出力先プリンタへ、前記データを出力する出力部と、を備える。【選択図】図２
2016128986.tif 000002
【特許請求の範囲】
【請求項１】
複数のプリンタからデータを印刷するプリンタを選択し、前記選択したプリンタへ前記データを出力する印刷制御装置であって、
印刷する前記データを取得する取得部と、
プリンタを識別するプリンタ識別情報とプリンタの出力機能を表す出力機能情報とが関連づけられて記憶されている記憶部と、
前記データを印刷する出力先プリンタを決定する決定部と、
前記決定部によって決定された出力先プリンタへ、前記データを出力する出力部と、
を備え、
前記決定部は、
前記データの印刷の際に、一方の面の印刷に加えて他方の面の印刷が必要か否か、及び／または第１の色での印刷に加えて第２の色での印刷が必要か否か判定し、
前記一方の面の印刷に加えて他方の面の印刷が必要と判定した場合、前記記憶部を参照して両面印刷が可能なプリンタを選択し、前記選択したプリンタを前記出力先プリンタに決定し、
一方、前記第１の色での印刷に加えて第２の色での印刷が必要と判定した場合、前記記憶部を参照して、前記第１の色と第２の色の両方で印刷が可能なプリンタを選択し、前記選択したプリンタを前記出力先プリンタに決定する
印刷制御装置。
【請求項２】
前記決定部は、
前記裏面印刷が必要でないと判定した場合、前記記憶部を参照して片面のみ印刷可能なプリンタを選択し、前記選択したプリンタを前記出力先プリンタに決定し、
一方、前記第１の色での印刷に加えて前記第２の色での印刷が必要でないと判定した場合、前記記憶部を参照して前記第１の色での印刷が可能な印刷プリンタを選択し、前記選択したプリンタを前記出力先プリンタに決定する
請求項１に記載の印刷制御装置。
【請求項３】
前記出力機能情報には、両面印刷が可能であることを示す情報、前記第１の色と前記第２の色の両方で印刷が可能であることを示す情報、または表面のみ印刷可能であることを示す情報のいずれか一つが含まれる
請求項１または２に記載の印刷制御装置。
【請求項４】
前記決定部は、前記データの容量が表面に印刷可能なデータの容量を超えている場合、一方の面の印刷に加えて他方の面の印刷が必要であると判定する
請求項１から３のいずれか一項に記載の印刷制御装置。
【請求項５】
前記決定部は、前記データに含まれる情報が、予め決められた種類の情報に該当する場合、一方の面の印刷に加えて他方の面の印刷が必要であると判定する
請求項１から４のいずれか一項に記載の印刷制御装置。
【請求項６】
前記データと、前記決定部によって決定されたプリンタを識別するプリンタ識別情報とを関連づけて保存するデータ保存部を更に備え、
前記出力部は、前記データ保存部に保存されているデータの古い順に、前記データを前記データ保存部において前記データに関連づけられたプリント識別情報によって特定されるプリンタへ出力する
請求項１から５のいずれか一項に記載の印刷制御装置。
【請求項７】
プリンタ毎に、該プリンタの出力機能をユーザから受け付ける入力部と、
プリンタを識別するプリンタ識別情報と、該プリンタに対して前記入力部が受け付けた出力機能を表す出力機能情報とを関連づけて前記記憶部に記憶させる登録部と、
を更に備える請求項１から６のいずれか一項に記載の印刷制御装置。
【請求項８】
前記第２の色は、特色である
請求項１から７のいずれか一項に記載の印刷制御装置。
【請求項９】
被写体を撮像する撮像部を更に備え、
前記印刷するデータには、前記撮像されることにより得られた画像データが含まれる
請求項１から８のいずれか一項に記載の印刷制御装置。
【請求項１０】
プリンタを識別するプリンタ識別情報とプリンタの出力機能を表す出力機能情報とが関連づけられて記憶されている記憶部を備え、複数のプリンタからデータを印刷するプリンタを選択し、前記選択したプリンタへ前記データを出力する印刷制御装置が実行する印刷制御方法であって、
取得部が、印刷する前記データを取得するステップと、
決定部が、前記データを印刷する出力先プリンタを決定するステップと、
出力部が、前記決定部によって決定されたプリンタへ、前記データを出力するステップと、
を有し、
前記決定するステップにおいて、前記決定部は、
前記データの印刷の際に、一方の面の印刷に加えて他方の面の印刷が必要か否か、及び／または第１の色での印刷に加えて第２の色での印刷が必要か否か判定し、
前記一方の面の印刷に加えて他方の面の印刷が必要と判定した場合、前記記憶部を参照して両面印刷が可能なプリンタを選択し、前記選択したプリンタを前記出力先プリンタに決定し、
一方、前記第１の色での印刷に加えて第２の色での印刷が必要と判定した場合、前記記憶部を参照して、前記第１の色と第２の色の両方で印刷が可能なプリンタを選択し、前記選択したプリンタを前記出力先プリンタに決定する
印刷制御方法。
【請求項１１】
プリンタを識別するプリンタ識別情報とプリンタの出力機能を表す出力機能情報とが関連づけられて記憶されている記憶部を備え、複数のプリンタからデータを印刷するプリンタを選択し、前記選択したプリンタへ前記データを出力する印刷制御装置を、
印刷する前記データを取得する取得部、
前記データを印刷する出力先プリンタを決定する決定部、
前記決定部によって決定されたプリンタへ、前記データを出力する出力部、
として機能させるための印刷制御プログラムであって、
前記決定部は、
前記データの印刷の際に、一方の面の印刷に加えて他方の面の印刷が必要か否か、及び／または第１の色での印刷に加えて第２の色での印刷が必要か否か判定し、
前記一方の面の印刷に加えて他方の面の印刷が必要と判定した場合、前記記憶部を参照して両面印刷が可能なプリンタを選択し、前記選択したプリンタを前記出力先プリンタに決定し、
一方、前記第１の色での印刷に加えて第２の色での印刷が必要と判定した場合、前記記憶部を参照して、前記第１の色と第２の色の両方で印刷が可能なプリンタを選択し、前記選択したプリンタを前記出力先プリンタに決定する印刷制御プログラム。
【発明の詳細な説明】
【技術分野】
【０００１】
本発明は、印刷制御装置、印刷制御方法及び印刷制御プログラムに関する。
【背景技術】
【０００２】
従来、一方の面（表面）の印刷後に自動で他方の面（裏面）を印刷可能とする裏面印刷ユニットが搭載されていないプリンタに対し、裏面の印刷を指示した場合、エラーが発生し、裏面印刷されないで表面印刷のみとなる。その場合、裏面印刷ユニットが搭載されているプリンタに対し、再度裏面の印刷を指示するか、または裏面印刷ユニットが搭載されていないプリンタで表面のみ印刷し、裏面は別のプリンタで印刷していた。このため、裏面印刷ユニットが搭載されていないプリンタに対し、裏面印刷を指示した場合、追加作業が発生しており作業効率が悪かった。この問題を解消するために、従来は、全プリンタに対し、裏面印刷ユニットを搭載し、追加作業をなくし作業効率を改善することが行われていた。
【先行技術文献】
【特許文献】
【０００３】
【特許文献１】特開２０１１−５３９４７号公報
【発明の概要】
【発明が解決しようとする課題】
【０００４】
しかし、限られた条件のときのみ裏面印刷が必要になるなど、裏面印刷される割合が低い場合、全プリンタに裏面印刷ユニットを搭載するのはコストが高くなるという問題があった。
【０００５】
そこで本発明は、上記問題に鑑みてなされたものであり、作業効率を落とすことなく、コストを低減することが可能な印刷制御装置、印刷制御方法及び印刷制御プログラムを提供することを目的とする。
【課題を解決するための手段】
【０００６】
本発明の一態様に係る印刷制御装置は、複数のプリンタからデータを印刷するプリンタを選択し、前記選択したプリンタへ前記データを出力する印刷制御装置であって、印刷する前記データを取得する取得部と、プリンタを識別するプリンタ識別情報とプリンタの出力機能を表す出力機能情報とが関連づけられて記憶されている記憶部と、前記データを印刷する出力先プリンタを決定する決定部と、前記決定部によって決定された出力先プリンタへ、前記データを出力する出力部と、を備え、前記決定部は、前記データの印刷の際に、一方の面の印刷に加えて他方の面の印刷が必要か否か、及び／または第１の色での印刷に加えて第２の色での印刷が必要か否か判定し、前記一方の面の印刷に加えて他方の面の印刷が必要と判定した場合、前記記憶部を参照して両面印刷が可能なプリンタを選択し、前記選択したプリンタを前記出力先プリンタに決定し、一方、前記第１の色での印刷に加えて第２の色での印刷が必要と判定した場合、前記記憶部を参照して、前記第１の色と第２の色の両方で印刷が可能なプリンタを選択し、前記選択したプリンタを前記出力先プリンタに決定する。
【０００７】
本発明の一態様に係る印刷制御装置において、前記決定部は、前記裏面印刷が必要でないと判定した場合、前記記憶部を参照して片面印刷のみ可能なプリンタを選択し、前記選択したプリンタを前記出力先プリンタに決定し、一方、前記第１の色での印刷に加えて前記第２の色での印刷が必要でないと判定した場合、前記記憶部を参照して前記第１の色での印刷が可能な印刷プリンタを選択し、前記選択したプリンタを前記出力先プリンタに決定する。
【０００８】
本発明の一態様に係る印刷制御装置において、前記出力機能情報には、両面印刷が可能であることを示す情報、前記第１の色と前記第２の色の両方で印刷が可能であることを示す情報、または表面のみ印刷可能であることを示す情報のいずれか一つが含まれる。
【０００９】
本発明の一態様に係る印刷制御装置において、前記決定部は、前記データの容量が表面に印刷可能なデータの容量を超えている場合、一方の面の印刷に加えて他方の面の印刷が必要であると判定する。
【００１０】
本発明の一態様に係る印刷制御装置において、前記決定部は、前記データに含まれる情報が、予め決められた種類の情報に該当する場合、一方の面の印刷に加えて他方の面の印刷が必要であると判定する。
【００１１】
本発明の一態様に係る印刷制御装置において、前記データと、前記決定部によって決定されたプリンタを識別するプリンタ識別情報とを関連づけて保存するデータ保存部を更に備え、前記出力部は、前記データ保存部に保存されているデータの古い順に、前記データを前記データ保存部において前記データに関連づけられたプリント識別情報によって特定されるプリンタへ出力する。
【００１２】
本発明の一態様に係る印刷制御装置において、プリンタ毎に、該プリンタの出力機能をユーザから受け付ける入力部と、プリンタを識別するプリンタ識別情報と、該プリンタに対して前記入力部が受け付けた出力機能を表す出力機能情報とを関連づけて前記記憶部に記憶させる登録部と、を更に備える。
【００１３】
本発明の一態様に係る印刷制御装置において、前記第２の色は、特色である。
【００１４】
本発明の一態様に係る印刷制御装置において、被写体を撮像する撮像部を更に備え、前記印刷するデータには、前記撮像されることにより得られた画像データが含まれる。
【００１５】
本発明の一態様に係る印刷制御方法は、プリンタを識別するプリンタ識別情報とプリンタの出力機能を表す出力機能情報とが関連づけられて記憶されている記憶部を備え、複数のプリンタからデータを印刷するプリンタを選択し、前記選択したプリンタへ前記データを出力する印刷制御装置が実行する印刷制御方法であって、取得部が、印刷する前記データを取得するステップと、決定部が、前記データを印刷する出力先プリンタを決定するステップと、出力部が、前記決定部によって決定されたプリンタへ、前記データを出力するステップと、を有し、前記決定するステップにおいて、前記決定部は、前記データの印刷の際に、一方の面の印刷に加えて他方の面の印刷が必要か否か、及び／または第１の色での印刷に加えて第２の色での印刷が必要か否か判定し、前記一方の面の印刷に加えて他方の面の印刷が必要と判定した場合、前記記憶部を参照して両面印刷が可能なプリンタを選択し、前記選択したプリンタを前記出力先プリンタに決定し、一方、前記第１の色での印刷に加えて第２の色での印刷が必要と判定した場合、前記記憶部を参照して、前記第１の色と第２の色の両方で印刷が可能なプリンタを選択し、前記選択したプリンタを前記出力先プリンタに決定する。
【００１６】
本発明の一態様に係る印刷制御プログラムは、プリンタを識別するプリンタ識別情報とプリンタの出力機能を表す出力機能情報とが関連づけられて記憶されている記憶部を備え、複数のプリンタからデータを印刷するプリンタを選択し、前記選択したプリンタへ前記データを出力する印刷制御装置を、印刷する前記データを取得する取得部、前記データを印刷する出力先プリンタを決定する決定部、前記決定部によって決定されたプリンタへ、前記データを出力する出力部、として機能させるための印刷制御プログラムであって、前記決定部は、前記データの印刷の際に、一方の面の印刷に加えて他方の面の印刷が必要か否か、及び／または第１の色での印刷に加えて第２の色での印刷が必要か否か判定し、前記一方の面の印刷に加えて他方の面の印刷が必要と判定した場合、前記記憶部を参照して両面印刷が可能なプリンタを選択し、前記選択したプリンタを前記出力先プリンタに決定し、一方、前記第１の色での印刷に加えて第２の色での印刷が必要と判定した場合、前記記憶部を参照して、前記第１の色と第２の色の両方で印刷が可能なプリンタを選択し、前記選択したプリンタを前記出力先プリンタに決定する。
【発明の効果】
【００１７】
本発明によれば、一方の面の印刷に加えて他方の面の印刷が必要なときには、記憶部に記憶されている両面印刷が可能なプリンタを選択し、選択したプリンタへデータを出力することができる。また、第１の色での印刷に加えて第２の色での印刷が必要なときには、記憶部に記憶されている第１の色と第２の色の両方で印刷が可能なプリンタを選択し、選択したプリンタへデータを出力することができる。これにより、一方の面の印刷に加えて他方の面の印刷が必要なとき、または第１の色での印刷に加えて第２の色での印刷が必要なときに、追加作業が発生せず、両面印刷が可能なプリンタの台数及び／または第１の色と第２の色の両方で印刷が可能なプリンタの台数を必要最小限に抑えることができる。このため、裏面印刷ユニットの搭載数及び／または第２の色で印刷するための消耗品（例えば、第２の色のインクリボンなど）の数を低減することができる。その結果、作業効率を落とすことなく、コストを低減することができる。
【図面の簡単な説明】
【００１８】
【図１】図１は、本発明の一態様である実施形態に係る印刷システムＳの構成の一例を示す図である。
【図２】図２は、本実施形態に係る印刷制御装置１の構成の一例を示す図である。
【図３】図３は、登録部１２によって記憶部１３に記憶された登録情報の内容の一例を示す図である。
【図４】図４は、本実施形態の処理の流れの一例を示すフローチャートである。
【発明を実施するための形態】
【００１９】
以下、本発明に係る実施形態について図面に基づいて説明する。図１は、本発明の一態様である実施形態に係る印刷システムＳの構成の一例を示す図である。図１に示すように、本実施形態に係る印刷システムＳは、印刷制御装置１−１、…、１−Ｎ（Ｎは正の整数）と、プリンタＰ１、Ｐ２、Ｐ３、Ｐ４、Ｐ５を備える。印刷制御装置１−１、…、１−Ｎと、プリンタＰ１、Ｐ２、Ｐ３、Ｐ４、Ｐ５とは、ネットワークを介して接続されている。
プリンタＰ１、Ｐ２、Ｐ３、Ｐ４、Ｐ５のプリント方式は特に限定されず、インクジェット方式、昇華型熱転写方式、溶融型熱転写方式等を用いることができる。
ここで、昇華型熱転写方式のプリンタを用いる場合、本発明では、イエロー、マゼンタ、シアンの三原色、或いはこれらの三原色にブラックを加えた四原色のみでは色分解し得ない色、例えば、金色、銀色、蛍光色、ブロンズ色や、ＵＶインクなどの特殊インキを使用した色などの特別な色のことを「特色」という。
【００２０】
印刷制御装置１−１、…、１−Ｎは、複数のプリンタＰ１〜Ｐ５からデータを印刷するプリンタを選択し、選択したプリンタへデータを出力する。以下、印刷制御装置１−１、…、１−Ｎを総称して、印刷制御装置１という。
プリンタＰ１及びＰ２は、例えば、片面印刷のみ可能なプリンタである。プリンタＰ３及びＰ４は、例えば、両面印刷が可能なプリンタである。プリンタＰ５は、例えば、黒色での印刷に加えて、特色、例えば、金色での印刷が可能なプリンタである。
【００２１】
続いて、図２を用いて本実施形態に係る印刷制御装置１の構成について説明する。図２は、本実施形態に係る印刷制御装置１の構成の一例を示す図である。図２に示すように、印刷制御装置１は、入力部１１、登録部１２、記憶部１３、撮像部１４、取得部１５、決定部１６、データ保存部１７、及び出力部１８を備える。
【００２２】
入力部１１は、ユーザによる入力を受け付けるインタフェースである。例えば、入力部１１は、プリンタ毎に、このプリンタの出力機能をユーザから受け付ける。
記憶部１３は、データを記憶する記憶媒体である。記憶部１３は、例えば、ＩＣカードに印字する対象となる対象ユーザに関する情報を記憶する。
【００２３】
登録部１２は、プリンタに関する登録情報を記憶部１３に記憶させる。例えば、登録部１２は、プリンタを識別するプリンタ識別情報と、このプリンタに対して入力部１１が受け付けた出力機能を表す出力機能情報とを関連づけて記憶部１３に記憶させる。これにより、記憶部１３には、プリンタを識別するプリンタ識別情報とプリンタの出力機能を表す出力機能情報とが関連づけられて記憶される。ここで、出力機能情報には、両面印刷が可能であることを示す情報、第１の色（ここでは一例として黒色）と第２の色（ここでは一例として特色、例えば、金色）の両方で印刷が可能であることを示す情報、または表面のみ印刷可能であることを示す情報のいずれか一つが含まれる。
【００２４】
図３は、登録部１２によって記憶部１３に記憶された登録情報の内容の一例を示す図である。図３に示すように、登録情報には、プリンタＰ１〜Ｐ５のいずれかを識別するプリンタ識別情報と、そのプリンタの出力機能を表す出力機能情報とが組になっている。プリンタＰ１〜Ｐ５のプリンタ識別情報は、それぞれｐｒ１〜ｐｒ５である。例えば、プリンタＰ１については、プリンタ識別情報が「ｐｒ１」で、出力機能情報が「通常（１）」である。ここで、「通常」は、通常のプリンタであることを表し、本実施形態では、通常のプリンタは、片面のみ印刷可能なプリンタである。例えば、プリンタＰ３については、プリンタ識別情報が「ｐｒ３」で、出力機能情報が「裏面（１）」である。ここで、「裏面」は、裏面印刷も可能であること、すなわち両面印刷が可能であることを意味する。例えば、プリンタＰ５については、プリンタ識別情報が「ｐｒ５」で、出力機能情報が「金色」である。ここで「金色」は、黒色だけでなく金色で印刷が可能であることを意味する。
【００２５】
撮像部１４は、被写体を撮像する。例えば、撮像部１４は、ＩＣカードに印字する対象となる対象ユーザを撮像し、撮像することにより得られた画像データを取得部１５へ出力する。ここで、ＩＣカードは、例えば、社員カード、銀行カード、または運転免許証等のＩＣカードであり、この画像データは、例えば、対象ユーザの上半身の画像を示すデータである。
【００２６】
取得部１５は、印刷するデータを取得する。例えば、取得部１５は、記憶部１３から対象ユーザに関する情報を取得し、撮像部１４から画像データを取得し、取得した対象ユーザに関する情報と画像データとを、印刷するデータに含ませる。これにより、印刷するデータには、対象ユーザに関する情報と、対象ユーザが撮像されることにより得られた画像データとが含まれる。
【００２７】
決定部１６は、データを印刷する出力先プリンタを決定する。具体的には、データの印刷の際に、一方の面の印刷に加えて他方の面の印刷が必要か否か、及び／または第１の色（ここでは例えば、黒色）での印刷に加えて第２の色（ここでは例えば、特色である金色）での印刷が必要か否か判定する。決定部１６は、一方の面の印刷に加えて他方の面の印刷が必要と判定した場合、記憶部１３を参照して両面印刷が可能なプリンタを選択し、選択したプリンタを出力先プリンタに決定する。ここで、両面印刷が可能なプリンタは、例えば、片面印刷が可能なプリンタに裏面印刷ユニットが搭載されたプリンタである。一方、決定部１６は、裏面印刷が必要でないと判定した場合、記憶部１３を参照して片面のみ印刷可能なプリンタを選択し、選択したプリンタを出力先プリンタに決定する。
【００２８】
また、決定部１６は、第１の色（ここでは例えば、黒色）での印刷に加えて第２の色（ここでは例えば、特色である金色）での印刷が必要と判定した場合、記憶部１３を参照して、この第１の色と第２の色の両方で印刷が可能なプリンタを選択し、選択したプリンタを出力先プリンタに決定する。一方、決定部１６は、第１の色での印刷に加えて第２の色での印刷が必要でないと判定した場合、記憶部１３を参照して第１の色（ここでは例えば、黒色）での印刷が可能な印刷プリンタを選択し、選択したプリンタを出力先プリンタに決定する。
【００２９】
ここで、決定部１６が一方の面の印刷に加えて他方の面の印刷が必要であると判定する場合の例について説明する。例えば、決定部１６は、データの容量が表面に印刷可能なデータの容量を超えている場合、一方の面の印刷に加えて他方の面の印刷が必要であると判定してもよい。あるいは、決定部１６は、データに含まれる情報が、予め決められた種類の情報に該当する場合、一方の面の印刷に加えて他方の面の印刷が必要であると判定してもよい。予め決められた種類の情報は、例えば、普通免許取得後に自動二輪免許を取得した場合の再取得日もしくは交付日、または身体障害者である旨の情報などである。
【００３０】
データ保存部１７は、印刷するデータと、決定部１６によって決定されたプリンタを識別するプリンタ識別情報とを関連づけて保存する。
【００３１】
出力部１８は、決定部１６によって決定されたプリンタへ、印刷するデータを出力する。例えば、出力部１８は、データ保存部１７に保存されているデータの古い順に、データをデータ保存部１７において当該データに関連づけられたプリント識別情報によって特定されるプリンタへ出力する。
【００３２】
続いて、図４を用いて、本実施形態の処理の流れについて説明する。図４は、本実施形態の処理の流れの一例を示すフローチャートである。
【００３３】
（ステップＳ１）まず、取得部１５は、印刷するデータを取得する。
【００３４】
（ステップＳ２）次に、決定部１６は、ステップＳ１で取得されたデータを用いて、一方の面（表面）の印刷に加えて他方の面（裏面）の印刷が必要か否か判定する。
【００３５】
（ステップＳ３）決定部１６は、ステップＳ２で一方の面（表面）の印刷に加えて他方の面（裏面）の印刷が必要と判定した場合、両面印刷が可能なプリンタからプリンタを選択する。
【００３６】
（ステップＳ４）決定部１６は、ステップＳ２で一方の面（表面）の印刷に加えて他方の面（裏面）の印刷が必要でないと判定した場合、ステップＳ１で取得されたデータを用いて、例えば、金色での印刷が必要であるか否か判定する。
【００３７】
（ステップＳ５）決定部１６は、ステップＳ４で金色での印刷が必要と判定した場合、金色印刷可能なプリンタからプリンタを選択する。
【００３８】
（ステップＳ６）決定部１６は、ステップＳ４で金色での印刷が必要でないと判定した場合、通常のプリンタからプリンタを選択する。ここで、通常のプリンタは、例えば、黒色で片面のみ印刷可能なプリンタである。
【００３９】
（ステップＳ７）次に、データ保存部１７は、データとこのデータを印刷するプリンタを識別するプリンタ識別情報との組を一時保存する。
【００４０】
（ステップＳ８）次に、出力部１８は、一時保存されたデータを、データの古い順に、対応するプリンタへ出力する。
【００４１】
以上、本実施形態に係る印刷制御装置１は、複数のプリンタからデータを印刷するプリンタを選択し、前記選択したプリンタへ前記データを出力する印刷制御装置であって、印刷するデータを取得する取得部１５を備える。更に、印刷制御装置１は、プリンタを識別するプリンタ識別情報とプリンタの出力機能を表す出力機能情報とが関連づけられて記憶されている記憶部１３を備える。更に、印刷制御装置１は、データを印刷する出力先プリンタを決定する決定部を備える。更に、印刷制御装置１は、決定部１６によって決定された出力先プリンタへ、データを出力する出力部を備える。
【００４２】
そして、決定部１６は、データの印刷の際に、一方の面の印刷に加えて他方の面の印刷が必要か否か、及び／または第１の色での印刷に加えて第２の色での印刷が必要か否か判定する。判定の結果、決定部１６は、一方の面の印刷に加えて他方の面の印刷が必要と判定した場合、記憶部１３を参照して両面印刷が可能なプリンタを選択し、選択したプリンタを出力先プリンタに決定する。一方、決定部１６は、第１の色での印刷に加えて第２の色での印刷が必要と判定した場合、記憶部１３を参照して、第１の色と第２の色の両方で印刷が可能なプリンタを選択し、選択したプリンタを出力先プリンタに決定する。
【００４３】
このような構成を有することにより、一方の面の印刷に加えて他方の面の印刷が必要なときには、記憶部に記憶されている両面印刷が可能なプリンタを選択し、選択したプリンタへデータを出力することができる。また、第１の色での印刷に加えて第２の色での印刷が必要なときには、記憶部に記憶されている第１の色と第２の色の両方で印刷が可能なプリンタを選択し、選択したプリンタへデータを出力することができる。これにより、一方の面の印刷に加えて他方の面の印刷が必要なとき、または第１の色での印刷に加えて第２の色での印刷が必要なときに、追加作業が発生せず、両面印刷が可能なプリンタの台数及び／または第１の色と第２の色の両方で印刷が可能なプリンタの台数を必要最小限に抑えることができる。このため、裏面印刷ユニットの搭載数及び／または第２の色で印刷するための消耗品（例えば、第２の色のインクリボンなど）の数を低減することができる。その結果、作業効率を落とすことなく、コストを低減することができる。
【００４４】
なお、実施形態は例示であり、発明の範囲はそれらに限定されない。
【符号の説明】
【００４５】
Ｓ  印刷システム
１、１−１、…、１−Ｎ  印刷制御装置
Ｐ１、Ｐ２、Ｐ３、Ｐ４、Ｐ５  プリンタ
１１  入力部
１２  登録部
１３  記憶部
１４  撮像部
１５  取得部
１６  決定部
１７  データ保存部
１８  出力部
【図１】
2016128986.tif 000003
【図２】
2016128986.tif 000004
【図３】
2016128986.tif 000005
【図４】
2016128986.tif 000006